(57)【要約】【課題】偽造防止用マーカーで偽造防止を図れながら、ペン型入力装置で正確に文字などを入力できるペン型入力装置用の用紙を得る。【解決手段】ペン型入力装置によって、用紙１１上に手書きされた文字などの筆記内容が入力される。用紙１１上には、ペン型入力装置のカメラ４でペン部２の位置を検出するための検出用マーカー１２と、同一内容の複写が困難なパール顔料を含むインキで印刷された偽造防止用マーカー１３とを含む。パール顔料を含むインキで印刷された偽造防止用マーカー１３は、ペン型入力装置のカメラ４では検出不可能になっている。【選択図】        図１
2004310358.tif 000002
【特許請求の範囲】
【請求項１】
カメラ４を有するペン型入力装置に筆記内容を入力するための用紙であって、
ペン型入力装置のカメラ４で筆記内容を検出するための検出用マーカー１２と、同一内容の複写が困難な偽造防止用マーカー１３とを含み、
偽造防止用マーカー１３が、ペン型入力装置のカメラ４では検出不可能な手段で形成されていることを特徴とするペン型入力装置用の用紙。
【請求項２】
検出用マーカー１２が、ペン型入力装置のカメラ４での検出が可能な炭素系の黒色顔料を含むインキで印刷されており、
偽造防止用マーカー１３が、炭素系の黒色顔料を含まないインキで印刷されている請求項１記載のペン型入力装置用の用紙。
【請求項３】
偽造防止用マーカー１３を印刷するインキが、パール顔料を含む請求項２記載のペン型入力装置用の用紙。
【請求項４】
偽造防止用マーカー１３を印刷するインキが、レッド、グリーンおよびブルーの周辺の色相で彩度の高い色で、かつ用紙１１の地色に近い明度を有する顔料を含む請求項２記載のペン型入力装置用の用紙。
【請求項５】
検出用マーカー１２と偽造防止用マーカー１３とを重ねて印刷した請求項２又は３又は４記載のペン型入力装置用の用紙。
【請求項６】
検出用マーカーが、用紙上に分散状態で配置されており、
各検出用マーカーが、用紙上の位置を示すためのパターンに形成されている請求項１又は２又は３又は４又は５記載のペン型入力装置用の用紙。
【発明の詳細な説明】
【０００１】
【発明の属する技術分野】
本発明は、手書きの文字などをコンピュータなどに入力するペン型入力装置用の用紙に関する。
【０００２】
【従来の技術】
この種の用紙に関し、特許文献１〜３では、筆記した文字などの位置や筆記方向などの筆記内容をペン型入力装置のカメラで検出するために、検出用マーカーを予め用紙に設けてあるものがある。
【０００３】
特許文献４〜７では、用紙に偽造防止用マーカーを形成し、カラー複写機などで複写しても偽造防止用マーカーの色調などが異なって、複写による偽造を判別できるものがある。
【０００４】
【特許文献１】
特表２００３−５００７７７号公報（段落番号００８３−００８７、図３）
【特許文献２】
特表２００３−５００７７８号公報（段落番号００５７−００５９、図１）
【特許文献３】
特表２００３−５０３９０５号公報（段落番号００５０−００５１、図１）
【特許文献４】
特開平６−２５５２３４号公報（段落番号０００５）
【特許文献５】
特開２００２−２２６７５３号公報（段落番号０００６、図１−２）
【特許文献６】
特開２００２−２８５０６１号公報（段落番号００２１−００２２、図１−３）
【特許文献７】
特開２００３−１９８５４号公報（段落番号０００９−００１０、図１）
【０００５】
【発明が解決しようとする課題】
前記検出用マーカーを備えた用紙を、小切手やトラベラーズなどの書面に使用した場合、偽造防止を図ることが重要になる。このため、偽造防止用マーカーを用紙上に設けることになるが、同一の用紙上に検出用マーカーと偽造防止用マーカーとを形成すると、ペン型入力装置が、偽造防止用マーカーを検出用マーカーと誤検出して、文字などを正確に入力できないところに問題がある。
【０００６】
そこで本発明の目的は、偽造防止用マーカーで偽造防止を図れながら、ペン型入力装置で正確に入力できるペン型入力装置用の用紙を得ることにある。
【０００７】
【課題を解決するための手段】
本発明は、図２に示すごとくカメラ４を有するペン型入力装置に筆記内容を入力するための用紙１１が対象である。用紙１１は、図１に示すごとく、ペン型入力装置のカメラ４で筆記内容を検出するための検出用マーカー１２と、同一内容の複写が困難な偽造防止用マーカー１３とを含み、偽造防止用マーカー１３が、ペン型入力装置のカメラ４では検出不可能な手段で形成されている。
【０００８】
ここでの用紙１１には、小切手やトラベラーズや証券などの自筆のサインなどが必須の有価紙類のほか、公文書や発注書や領収書やカルテなど自筆が必要な書面などが含まれる。カメラ４での検出不可能な手段には、用紙１１の地色との明度差が小さいインキで印刷することや、紙幣などに用いる潜像模様やすかしを設けることや、マイクロ文字を印刷することや、磁気インキで印刷することなどが含まれる。
【０００９】
具体的には、検出用マーカー１２が、ペン型入力装置のカメラ４での検出が可能な炭素系の黒色顔料を含むインキで印刷されており、偽造防止用マーカー１３が、炭素系の黒色顔料を含まないインキで印刷されている。
【００１０】
偽造防止用マーカー１３を印刷するインキは、パール顔料を含むものであってもよく、レッド、グリーンおよびブルーの周辺の色相で彩度の高い色、かつ用紙１１の地色に近い明度を有する顔料を含むものであってもよい。
【００１１】
検出用マーカー１２と偽造防止用マーカー１３とは、重ねて印刷したものとすることができる。詳しくは、検出用マーカー１２は、用紙１１上に分散状態で配置されており、各検出用マーカー１２が、用紙１１上の位置を示すためのパターンに形成されている。
【００１２】
【発明の作用効果】
本発明は、ペン型入力装置が偽造防止用マーカー１３を検出用マーカー１２として誤検出することがない。従って、偽造防止用マーカー１３によって用紙１１の複写が困難になっていながら、ペン型入力装置によって筆記された内容が正確にコンピュータなどに入力できることになる。
【００１３】
【発明の実施の形態】
図１と図２とは、本発明に係るペン型入力装置と用紙とを示す。ペン型入力装置は、図２に示すごとく、一般的なペンとほぼ同様の外形を有するケース１と、このケース１の先端部分に設けた筆記用のペン部２と、ケース１の先端に設けた開口３を介してペン部２の先端周辺に臨むカメラ４と、このカメラ４の検出データなどに基づいてペン部２での筆跡を判断するプロセッサ５と、筆跡データなどを記憶するメモリ６と、外部機器と通信する通信部７と、電源としての電池８などを含んでいる。電池８は、小型リチウムイオン電池などが該当する。外部機器は、携帯情報端末（ＰＤＡ）やコンピュータや携帯電話などが該当する。
【００１４】
ペン部２は、ペン先およびインキなどを有しており、ペン型入力装置用の用紙１１（図１）上に筆記するためのものである。ペン部２は、ペン圧を検出する加圧センサを備えており、このペン圧データをプロセッサ５に出力する。用紙１１には、図１に示すごとく、カメラ４で検出される検出用マーカー１２と、偽造防止用マーカー１３とが印刷されている。
【００１５】
カメラ４は、ＣＣＤやＣＭＯＳセンサなどの撮像素子を有しており、用紙１１に筆記している際に、ペン部２のペン先周辺に位置する検出用マーカー１２を検出する。通信部７は、電波や赤外線などで外部機器と通信する。ペン型入力装置は、カメラ４での撮像画面を明暗レベルに基づいて二値化している。
【００１６】
検出用マーカー１２は、図１に示すごとく、直径の異なる複数種類のドット（黒丸）１２で形成されており、用紙１１の筆記可能な範囲内に分散して配置される。検出用マーカー１２の各種類のドットは、予め定めた規則に従って配置されており、この配置関係から用紙１１上での位置（座標）が特定される。つまり、検出用マーカー１２は、用紙１１上の位置を示すためのパターンに形成される。
なお、各種類のドットの径は、それぞれ目立たない程度に設定される。
【００１７】
検出用マーカー１２は、炭素系の黒色顔料を含むインキで印刷される。炭素系の黒色顔料を用いることで、用紙１１の地色と検出用マーカー１２との明度差を大きくできて、ペン型入力装置のカメラ４が、検出用マーカー１２を確実に検出する。
【００１８】
そして、ペン型入力装置は、ペン部２の周辺に位置する検出用マーカー１２をカメラ４で検出して、用紙１１上でのペン部２の位置およびペン部２の移動方向を筆記内容として識別するとともに、ペン部２でペン圧を検出する。ペン型入力装置は、これらのデータを外部機器に送信して入力し、外部機器は、入力されたデータに基づいて、ペン型入力装置によって筆記された文字や図形などを認識する。
【００１９】
偽造防止用マーカー１３は、用紙１１の周縁などに印刷された文字やマークなどで形成される。以下、偽造防止用マーカー１３を印刷するインキの実施例について説明する。
【００２０】
（第１実施例）  第１実施例では、偽造防止用マーカー１３用のインキは、周知のパール顔料を含む一方で、炭素系の黒色顔料を含まない薄い色にしてある。つまり、第１実施例にかかる偽造防止用マーカー１３は、真珠のような光沢を有するとともに、用紙１１の地色に対して明度差が小さくなっている。
【００２１】
パール顔料は、雲母粒子を含み、この雲母粒子に可視光域では透明となり、かつ屈折率が２．０以上となる金属酸化物で被覆してある。この金属酸化物により、雲母に高虹彩反射性が与えられる。
【００２２】
金属酸化物としては、Ｓｂ２  Ｓ３  、Ｆｅ２  Ｏ３  、ＰｂＯ、ＺｎＳｅ、ＣｄＳ、Ｂｉ２  Ｏ３  、ＴｉＯ２  、ＰｂＣｌ２  、ＣｅＯ２  、Ｔａ２  Ｏ５  、ＺｎＳ、ＺｎＯ、ＣｄＯ、Ｎｄ２  Ｏ３  、Ｓｂ２  Ｏ３  、ＳｉＯおよびＩｎＯ３  などが設定され、雲母粒子に金属酸化物が単層あるいは複数層で被覆される。
【００２３】
第１実施例のインキは、このパール顔料を３０％程度、アルキド樹脂などを用いたビヒクルを７０％程度および補助剤などを配合することで形成される。偽造防止用マーカー１３にあっては、カラー複写機で複写してもパール顔料の光沢までは再現できず、複写物であることが目視でも容易に判別できる。つまり、偽造防止用マーカー１３は、同一内容の複写が困難になっている。
【００２４】
しかも、第１実施例のインキは、前述のように用紙１１の地色との明度差が小さいために、用紙１１の地色との判別が困難になって、ペン型入力装置が偽造防止用マーカー１３を検出しない。
【００２５】
また、偽造防止用マーカー１３用のインキを、有色顔料を含まない半透明にすると、検出用マーカー１２と偽造防止用マーカー１３とを重ねて印刷しても、ペン型入力装置のカメラ４は、検出用マーカー１２のみを検出する。
【００２６】
（第２実施例）  第２実施例のインキは、カラー複写機のトナー（インキ）の色として使用されるシアン、マジェンタおよびイエローに対して補色となるレッド、グリーンおよびブルーの周辺の色相で、比較的彩度の高い色の顔料を含む。第２実施例のインキの明度は、用紙１１の地色に近づけてある。また、第２実施例のインキは、ペン型入力装置のカメラ４で検出されやすい炭素系の黒色顔料を含んでいない。
【００２７】
第２実施例の偽造防止用マーカー１３は、カラー複写機で複写しても彩度や色相の点で、ある程度の色ずれを起こしたり濃く発色したりするため、複写物であることが目視でも容易に判別できる。しかも、明度は用紙１１の地色に近いため、ペン型入力装置のカメラ４では用紙１１の地色との判別が困難になっている。
つまり、第２実施例の偽造防止用マーカー１３でも、同一内容の複写が困難になっている。
【００２８】
上記のように構成した第１・２実施例の用紙と、偽造防止用マーカー１３を省略した用紙とを用意し、更にこれらの用紙をカラー複写機で複写して、ペン型入力装置での検出可能性を試験した。また目視で複写物の判別可能性を試験した。
各用紙は、コクヨ社製の共用紙ＫＢ−１９を用いた。
【００２９】
（実施例１）  トーヨーインキカラーファインダー（ＴＯＹＯ  ９４  ＣＯＬＯＲＦＩＮＤＥＲ  １０５０）の薄いピンク色のパール顔料を含むインキで、１０ｃｍ×１０ｃｍの四角形の偽造防止用マーカー１３を用紙に印刷したうえで、検出用マーカー１２を用紙全面に印刷した。
（実施例２）  日本コレス社製のグリーンの顔料を含むインキで、１０ｃｍ×１０ｃｍの四角形の偽造防止用マーカー１３を用紙に印刷したうえで、検出用マーカー１２を用紙全面に印刷した。
（比較例）  検出用マーカー１２のみを用紙全面に印刷した。
【００３０】
各実施例および比較例で得られた用紙を、カラーコピー機（富士ゼロックス社製ＰＰＣカラーコピー機ＤｏｃｕＣｏｌｏｒ５００ＣＰ）にて複写して、各実施例および比較例にそれぞれ対応する複写物を得た。これらの用紙および複写物に、「ＡＢＣ」の文字をペン型入力装置で手書きし、パーソナルコンピュータに適正に認識されるかを確認した。また、複写物を目視によって確認した。表１は、その結果を示す。
【００３１】
【表１】
2004310358.tif 000003
【００３２】
この表１から明らかな通り、各実施例で得た用紙を複写しても容易に複写物を判別できる。また、各実施例で得た用紙では、「ＡＢＣ」の文字が認識されたにもかかわらず、各実施例の複写物では、「ＡＢＣ」の文字が認識されなかった。
これは、各実施例の複写物において偽造防止用マーカー１３が正確に複写されていないために、ペン型入力装置が複写物の偽造防止用マーカー１３を誤検出して、用紙１１上でのペン部２の位置が検出できなかったためと考えられる。
【００３３】
検出用マーカー１２は、二重丸やバーコード状のものなどであってもよい。偽造防止用マーカー１３は、紙幣などに用いる潜像模様やすかし、あるいはマイクロ文字印刷であってもよく、磁気インキでの印刷などであってもよい。偽造防止用マーカー１３は、用紙１１の周縁に沿って形成された枠や、四角や丸などの図形などであってもよい。
【図面の簡単な説明】
【図１】用紙の平面図
【図２】ペン型入力装置の概略構成図
【符号の説明】
１  ケース
４  カメラ
１１  用紙
１２  検出用マーカー
１３  偽造防止用マーカー
【図１】
2004310358.tif 000004
【図２】
2004310358.tif 000005